(57)【要約】【課題】パソコンがなくても装置自体で状態表示が簡単にでき、また侵入者に分かり難くするため、出来るだけ小型かつ家庭用として低コストの表示装置を実現する。【解決手段】遠隔監視システム１の宅内装置２において、宅内装置２の動作状態表示を７セグエレメントＬＥＤ１桁の動作状態表示装置１３で構成し、７セグエレメントでもってＯＮ／ＯＦＦ組合わせ表示、時間的交互表示、点滅表示とそれらの組合わせ表示パターンにより、動作中、着信回数カウント中表示、ダイヤル中、ダイヤルアップ接続中、ダイヤルアップ通信中、ダイヤルアップエラーによるリダイヤル中、Ｅｔｈｅｒ通信中、プログラムロード中、初期化処理中または初期テスト中、ファームウェアＤｏｗｎ  ｌｏａｄ中、フラッシュ書き込み中、設置設定モード受付、エラー表示などの状態表示を７セグエレメント１桁で全て対応させる。【選択図】  図４
2005318443.tif 000002
【特許請求の範囲】
【請求項１】
宅内に配置された宅内の所定エリアをカメラにて撮影する宅内装置と、前記宅内装に
て撮影した画像を電話回線及びインターネットを介して受信するとともに、その画像をインターネットおよび電話回線網を介して携帯端末に送信するサーバ装置とを備えた遠隔見守りシステム用宅内装置において、
前記宅内装置は前記サーバ装置側から送出される制御命令を受信して動作する形態に
構成され、
前記宅内装置の動作状態を表示する７セグエレメントＬＥＤ１桁の表示装置と、
前記表示装置に状態表示の表示制御信号を送る制御部と、
を備え、
前記表示装置は、７セグエレメントと１ｄｏｔでもって少なくともＯＮ／ＯＦＦ組合わせ表示、時間的交互表示、点滅表示とそれらの組合わせ表示の手段を備え、
前記制御部は、前記表示制御信号として少なくとも、
動作中、着信回数カウント中表示、ダイヤル中、ダイヤルアップ接続中、ダイヤルアップ通信中、ダイヤルアップエラーによるリダイヤル中、Ｅｔｈｅｒ通信中、プログラムロード中、初期化処理中または初期テスト中、ファームウェアＤｏｗｎ  ｌｏａｄ中、フラッシュ書き込み中、設置設定モード受付、エラー表示の各表示制御信号を発生し、
前記着信回数カウント中表示では９回カウント以上は９とし、
前記エラー表示はＥと数字を交互に表示すると共に、前記数字では少なくとも通信障害、イーサネット（登録商標）ＬＳＩ障害、モデムＬＳＩ障害、グラフィックＬＳＩ障害、フラッシュメモリ異常を０〜９の数字に対応させて表示する機能を備え、
前記表示装置で必要な状態表示を７セグエレメントＬＥＤ１桁の表示装置のみで構成し、
上記表示装置以外の表示装置を備えていないことを特徴とする遠隔見守りシステム用宅内装置の状態表示装置。
【請求項２】
宅内に配置された宅内の所定エリアをカメラにて撮影する宅内装置と、前記宅内装置に
て撮影した画像を電話回線及びインターネットを介して受信するとともに、その画像をインターネットおよび電話回線網を介して携帯端末に送信するサーバ装置とを備えた遠隔見守りシステム用宅内装置において、
前記宅内装置の動作状態を表示する７セグエレメント１桁の表示装置と、
前記表示装置に状態表示の表示制御信号を送る制御部と、
を備え、
前記表示装置は、７セグエレメントで少なくともＯＮ／ＯＦＦ組合わせ表示、時間的交互表示、点滅表示とそれらの組合わせ表示の手段を備え、
前記制御部は、前記制御信号として少なくとも、
動作中、着信回数カウント中表示、ダイヤル中、プログラムロード中、初期化処理中または初期テスト中、エラー表示の各表示制御信号を発生し、
前記表示装置で必要な状態表示を７セグエレメント１桁のみで構成したことを特徴とする遠隔見守りシステム用宅内装置の状態表示装置。  
【請求項３】
前記表示制御信号として少なくとも、
動作中、着信回数カウント中表示、ダイヤル中、ダイヤルアップ接続中、ダイヤルアップ通信中、ダイヤルアップエラーによるリダイヤル中、Ｅｔｈｅｒ通信中、プログラムロード中、初期化処理中または初期テスト中、ファームウェアＤｏｗｎ  ｌｏａｄ中、フラッシュ書き込み中、設置設定モード受付、エラー表示の各表示制御信号を発生し、
前記着信回数カウント中表示では９回カウント以上は９としたことを特徴とする請求項２記載の遠隔見守りシステム用宅内装置の状態表示装置。
【発明の詳細な説明】
【技術分野】
【０００１】
本発明は、ネットワークを利用した遠隔見守りシステム用宅内装置に適用される状態表示装置に関する。
【背景技術】
【０００２】
従来の防犯防止対策用カメラ付監視装置は防犯の性格上、監視装置には表示装置を付けないのが一般的であるが、これと異なり、宅内にいる子供、老人を宅外から見守るため宅内の撮影を宅外から確認する遠隔監視システムでは、宅内装置の設置時や立ち上げ時、トラブル時にユーザにとって宅内装置の状態表示はシステムの動作および状況確認、また安心の面から何らかの状態表示が必要とされる。そして、７セグメントの点灯制御により各種表示を行うことが知られている。（特許文献１、２参照）
【特許文献１】実用新案登録  第２５３０４５１号公報
【特許文献１】特開平９−１４６４７８号公報
【発明の開示】
【発明が解決しようとする課題】
【０００３】
従来のセキュリティ、防犯防止対策用のカメラ付監視装置等ではその目的上、侵入者に監視装置を気付かれないように、表示装置そのものを装着しないようにしているのが一般的であり、このような従来のネットワーク遠隔監視装置の動作状態の表示は、専らパソコンを用いたインターネットブラウザで表示している。  
しかしながら、本発明のように防犯以外に家庭内の様子を見守る宅内装置の場合、装置立ち上げ時やトラブル時に、装置そのものの動作状態が分からないとユーザにとっては不安であり、パソコンがなくても装置自体で状態表示が簡単にでき、また侵入者に分かり難くするため、出来るだけ小型かつ家庭用として低コストの表示装置を実現することが要請されている。
【０００４】
本発明は、上記要請に応えるもので、７セグエレメントＬＥＤ１桁だけを用いた簡単な表示装置で宅内装置の状態表示ができると共に、表示場所の小スペース化及び表示部品コスト低廉化を図った遠隔見守りシステム用宅内装置の状態表示装置を提供することを目的とする。
【課題を解決するための手段】
【０００５】
上記目的を達成するために請求項１の発明は、宅内に配置された宅内の所定エリアをカメラにて撮影する宅内装置と、前記宅内装置にて撮影した画像を電話回線及びインターネットを介して受信するとともに、その画像をインターネットおよび電話回線網を介して携帯端末に送信するサーバ装置とを備えた遠隔見守りシステム用宅内装置において、宅内装置はサーバ装置側から送出される制御命令を受信して動作する形態に構成され、宅内装置の動作状態を表示する７セグエレメントＬＥＤ１桁の表示装置と、表示装置に状態表示の表示制御信号を送る制御部とを備え、表示装置は７セグエレメントと１ｄｏｔでもって少なくともＯＮ／ＯＦＦ組合わせ表示、時間的交互表示、点滅表示とそれらの組合わせ表示の手段を備え、制御部は、表示制御信号として少なくとも、動作中、着信回数カウント中表示、ダイヤル中、ダイヤルアップ接続中、ダイヤルアップ通信中、ダイヤルアップエラーによるリダイヤル中、Ｅｔｈｅｒ通信中、プログラムロード中、初期化処理中または初期テスト中、ファームウェアＤｏｗｎ  ｌｏａｄ中、フラッシュ書き込み中、設置設定モード受付、エラー表示の各表示制御信号を発生し、着信回数カウント中表示では９回カウント以上は９とし、エラー表示はＥと数字を交互に表示すると共に、数字では少なくとも通信障害、イーサネット（登録商標）ＬＳＩ障害、モデムＬＳＩ障害、グラフィックＬＳＩ障害、フラッシュメモリ異常を０〜９の数字に対応させて表示する機能を備え、表示装置で必要な状態表示を７セグエレメントＬＥＤ１桁の表示装置のみで構成し、上記表示装置以外の表示装置を備えることなく遠隔見守りシステム用宅内装置の動作状態表示を可能とするものである。
【０００６】
請求項２の発明は、宅内に配置された宅内の所定エリアをカメラにて撮影する宅内装置と、宅内装置にて撮影した画像を電話回線及びインターネットを介して受信するとともに、その画像をインターネットおよび電話回線網を介して携帯端末に送信するサーバ装置とを備えた遠隔見守りシステム用宅内装置において、宅内装置の動作状態を表示する７セグエレメント１桁の表示装置と、表示装置に状態表示の表示制御信号を送る制御部とを備え、表示装置は、７セグエレメントで少なくともＯＮ／ＯＦＦ組合わせ表示、時間的交互表示、点滅表示とそれらの組合わせ表示の手段を備え、制御部は、制御信号として少なくとも、動作中、着信回数カウント中表示、ダイヤル中、プログラムロード中、初期化処理中または初期テスト中、エラー表示の各表示制御信号を発生し、表示装置で必要な状態表示を７セグエレメント１桁のみで構成した遠隔見守りシステム用宅内装置の状態表示を可能とするものである。  
【０００７】
請求項３の発明は、請求項２記載の遠隔見守りシステム用宅内装置の状態表示装置において、表示制御信号として少なくとも、動作中、着信回数カウント中表示、ダイヤル中、ダイヤルアップ接続中、ダイヤルアップ通信中、ダイヤルアップエラーによるリダイヤル中、Ｅｔｈｅｒ通信中、プログラムロード中、初期化処理中または初期テスト中、ファームウェアＤｏｗｎ  ｌｏａｄ中、フラッシュ書き込み中、設置設定モード受付、エラー表示の各表示制御信号を発生し、着信回数カウント中表示では９回カウント以上は９として表示するようにしたものである。
【発明の効果】
【０００８】
本発明によれば、本状態表示装置は、必要な状態表示を７セグエレメントＬＥＤの１桁１素子のみで行うので、小型でコンパクトに構成することができ、侵入者に気付かれ難く装着することができる。また、７セグエレメントＬＥＤ１桁での表示は７セグエレメントと１ｄｏｔ  との様々な組合わせ表示方法により、宅内装置の動作状態表示に必要な全ての表示ができるように構成している。従って、状態表示が、簡単な表示で見られるので、装置の動作状態が常に分かり、ユーザにとって便利であり、安心である。このように、本願によれば、遠隔見守りシステムの宅内装置の状態表示装置において、表示装置に必要な状態表示を全て表現でき、小型で省スペースかつ、省電力で低コストの表示装置の実現が可能になる。
【発明を実施するための最良の形態】
【０００９】
以下、本発明を具体化した実施形態による遠隔監視システムについて図面を参照して説明する。図１は遠隔監視システムの全体構成を示す。この遠隔監視システム１は、宅内の状況を宅外から見守るために宅内の撮影画像を宅外から確認可能とするシステムであり、宅内の状況を外部に送信する機能を持つ宅内装置２と、宅内装置２をインターネット７経由で遠隔制御すると共に携帯端末３との間で交信されるサーバ装置４（Ｗｅｂサーバ）とを備える。宅内装置２は、一般の家電製品と同様にユーザが宅内の適宜の位置に設置し電源投入と電話回線５に接続するだけで、自動的にネットワーク接続設定がなされ、インターネット７に接続されたサーバ装置４からの制御命令を実行し、サーバ装置４に宅内情報をアップロード可能となる。サーバ装置４は、インターネット７に接続され、本遠隔監視システム１を運営し、サービスを提供するコンピュータである。
【００１０】
宅内装置２は、ユーザ宅の例えば子供や老人、ペット等が居る部屋に配置されて、所定の監視エリアをカメラにて撮影する。宅内装置２は、電話回線５、ＩＳＰ（インターネットサービスプロバイダ）６、及びインターネット７を介して、サーバ装置４に接続可能になっている。
【００１１】
サーバ装置４は、携帯端末３にて設定された制御命令を携帯電話回線８及びインターネット７を介して受信して、その制御命令をインターネット７及び電話回線５を介して宅内装置２に転送し、また、宅内装置２にて撮影された画像を電話回線５及びインターネット７を介して受信して、その画像をインターネット７及び携帯電話回線８を介して携帯端末３に転送する。
【００１２】
携帯端末３は、携帯電話回線８及びインターネット７を介してサーバ装置４に接続可能になっていると共に、携帯電話回線８及び電話回線５を介して宅内装置２に接続可能になっている。このような携帯端末３としては、ユーザの所持する携帯電話機やＰＤＡ（Ｐｅｒｓｏｎａｌ  Ｄｉｇｉｔａｌ  Ａｓｓｉｓｔａｎｔ）等がある。携帯端末３は、宅内装置２にて撮影された画像の送信命令を含む宅内装置２を制御するための制御命令をサーバ装置４に対して設定し、また、宅内装置２にて撮影された画像を表示する。
【００１３】
図２は、遠隔監視システム１の動作のタイムチャートを示す。図１及び図２を参照して遠隔監視システム１の動作を説明する。図１及び図２において、括弧で囲んだ数字は、動作順序であって、それぞれ対応している。（１）まず、ユーザは、携帯端末３を操作して、携帯端末３をサーバ装置４に接続し、宅内装置２を制御するための制御命令（例えば「画像送信」）を携帯端末３からサーバ装置４に送信する。（２）サーバ装置４は、制御命令が携帯端末３から送られてきたことを受けて、その制御命令を保存する。（３）また、ユーザは、携帯端末３を操作して、携帯端末３から宅内装置２に発呼信号を送信し、すなわちユーザ宅に電話をかけ、１回目の呼出し後、直ちに発呼信号の送信を断つ。すなわち、ユーザは、携帯端末３から宅内装置２に１コール発信を行う。
【００１４】
（４）宅内装置２は、発呼信号の受信後、発呼信号が断たれるまでの呼出回数が所定回数（例えば３回）以下であったことを受けて、ダイヤルアップしてサーバ装置４への接続（コールバック）を行い、（５）サーバ装置４は、宅内装置２が接続されると、保存している制御命令を宅内装置２に送信する。（６）そして、宅内装置２は、サーバ装置４から受取った制御命令を実行し、（７）制御命令を実行完了した旨をサーバ装置４に通知する。このとき、例えば、制御命令が「画像送信」であった場合は、（８）宅内装置２は、カメラにて撮影している画像をキャプチャし、その画像をサーバ装置４に送信し、（９）サーバ装置４は、宅内装置２から送られてきた画像を保存する。（１０）その後、サーバ装置４は、制御命令を実行完了した旨を携帯端末３に電子メールで通知する。
【００１５】
ユーザは、携帯端末３に届いた電子メールにより制御命令が実行されたことを知る。このとき、例えば、制御命令が「画像送信」であった場合は、（１１）ユーザは、携帯端末３を操作して、携帯端末３をサーバ装置４に接続する。（１２）サーバ装置４は、携帯端末３が接続されると、保存している画像を携帯端末３に送信し、（１３）携帯端末３は、サーバ装置４から送られてきた画像を表示する。ユーザは、その表示画像を見ることで宅内の撮影画像を確認する。
【００１６】
また、遠隔監視システム１は、上述の動作に加え、以下のように動作する。まず、宅内装置２は、侵入者等を検出すると、カメラにて撮影している画像をキャプチャし、サーバ装置４へ接続して、異常が発生した旨をサーバ装置４に通知すると共に、そのときにキャプチャした画像をサーバ装置４に送信する。サーバ装置４は、宅内装置から送られてきた画像を保存し、異常が発生した旨を携帯端末３に電子メールで通知する。ユーザは、携帯端末３に届いた電子メールにより異常が発生したことを知り、携帯端末３を操作して、携帯端末３をサーバ装置４に接続する。サーバ装置４は、携帯端末３が接続されると、保存している画像を携帯端末３に送信し、携帯端末３は、サーバ装置４から送られてきた画像を表示する。ユーザは、その表示画像を見ることで、異常発生時に撮影された画像を確認することができる。
【００１７】
図３は本遠隔監視システム１の全体のブロック構成を示す。同システムの宅内装置２の構成及び動作について説明する。宅内装置２は、上述の構成に加え、宅内装置２を制御するためのＣＰＵ等からなる制御部（コールバック手段、命令要求手段、命令実行手段、コールバック設定手段）２６を備える。また、宅内装置２は、カメラ１１及び人体センサ１２と制御部２６との間で信号の入出力を行う信号入出力部２１と、カメラ信号の画像処理部２２と、カメラ信号の画像メモリ２３と、コールバック要求であることを判断するための設定呼出回数を記憶する設定メモリ２４と、ネットワークと接続するためのモデム２５とを備える。
【００１８】
次に、携帯端末３の構成及び動作について説明する。携帯端末３は、携帯端末３を制御するためのＣＰＵ等からなる制御部３７と、操作部３１と、表示部３２と、スピーカ３３と、メモリ３４と、送受信部３５と、ネットワークと接続するためのモデム３６とを備える。また、携帯端末３は、ブラウザ表示ソフトウェア、及び電子メールソフトウェアがインストールされている。
【００１９】
次に、サーバ装置４の構成及び動作について説明する。サーバ装置４は、サーバ装置４を制御するためのＣＰＵ等からなる制御部（命令転送手段）４４と、ネットワークと接続するためのモデム４１と、画像処理部４２と、記憶装置４３とを備える。モデム４１は、インターネット７との間で送受信する信号を変調する。画像処理部４２は、宅内装置２から受信した画像を処理する。
【００２０】
このように、上記構成の遠隔監視システム１によれば、宅内装置２は、発呼信号を受信したとき、その発呼信号が断たれるまでの呼出回数が設定メモリ２４に設定されている設定呼出回数以下であったときに、その発呼信号がサーバ装置４へのコールバック要求を示していると判断し、ダイヤルアップしてサーバ装置４への接続（コールバック）を行う。  これにより、宅内装置２からサーバ装置４への接続（コールバック）が確実に行われ、宅内装置２を制御するための制御命令がサーバ装置４から宅内装置２に確実に送信され、宅内装置２にて制御命令が確実に実行される。
【００２１】
図４は宅内装置２の概略構成を示す。宅内装置２は、カメラ１１と、人体センサ１２と、動作状態表示部１３と、警報ブザー１４と、電源スイッチ１５と、人体センサ１２による人体の検出動作をオン又はオフに設定するためのセンサスイッチ１６と、コールバック要求であることを判断するための設定呼出回数を設定するための設定スイッチ１７とを備える。宅内装置２は、電源ケーブル１８を介して商用電源から電力供給を受け、信号ケーブル１９を介して電話回線５との間で信号の送受信を行う。
【００２２】
カメラ１１は、所定の監視エリアを撮影するものである。人体センサ１２は、不法侵入者等を検出するためのものであり、人体から放射される赤外線を受光することにより、カメラ１１の撮影エリア内で人体の有無を検出する。動作状態表示装置１３は、宅内装置２の動作状況を表示するものであり、ダイヤル中であることや通信中であること等を数字やアルファベット等を点灯又は点滅することにより表示する。警報ブザー１４は、人体センサ１２により人体を検出した際にブザー音を発するものである。電源スイッチ１５は、宅内装置２への電源供給をオン、オフするために操作されるスイッチである。
【００２３】
動作状態表示装置１３は、７セグエレメントＬＥＤ１桁素子１３ａと付随するポイントの１ｄｏｔ表示１３ｂで構成されている。動作状態を示すために動作状態表示装置１３へＣＰＵを含む制御部２６から制御信号が送られ、７セグエレメントＬＥＤ１桁素子１３ａと１ｄｏｔ表示１３ｂが点灯／点滅で表示される。この表示内容として少なくとも、動作中、着信回数カウント中表示、ダイヤル中、ダイヤルアップ接続中、ダイヤルアップ通信中、ダイヤルアップエラーによるリダイヤル中、Ｅｔｈｅｒ通信中、プログラムロード中、初期化処理中または初期テスト中、ファームウェアＤｏｗｎ  ｌｏａｄ中、フラッシュ書き込み中、設置設定モード受付、エラー発生を表示し、着信回数カウント中表示では９回カウント以上は９とし、エラー表示はＥと数字を交互に表示すると共に、本数字では少なくとも通信障害、イーサネット（登録商標）ＬＳＩ障害、モデムＬＳＩ障害、グラフィックＬＳＩ障害、フラッシュメモリ異常を０〜４の数字（この場合、５〜９は空）に対応させて表示する。
【００２４】
この場合の表示パターン例を図５に示す。同図５では７セグエレメントＬＥＤ１桁素子１３ａの７つのセグエレメントａ、ｂ、ｃ、ｄ、ｅ、ｆ、ｇと１ｄｏｔ１３ｂの点灯／点滅の組合わせパターンと対応する宅内装置の状態表示例を示している。パターンＮＯ．２では着信回数カウント表示をするが９回以上は９と表示し、ＮＯ．１３のエラー表示ではＥの後に内容を示す番号を表示する。例えば通信障害は「Ｅ」、「０」、イーサネット（登録商標）ＬＳＩ障害は「Ｅ」、「１」、モデムＬＳＩ障害は「Ｅ」、「２」、グラフィックＬＳＩ障害は「Ｅ」、「３」、フラッシュメモリ異常機能は「Ｅ」、「４」をそれぞれ交互に表示する。また、ＮＯ．３、ＮＯ．４、ＮＯ５、ＮＯ．６では電話がオフフックの状態ではセグｄを点灯させ、電話がオンフックの状態ではセグｄを消灯にするようにしており、その時の動作状態を７セグの内、ａ、ｂ、ｆ、ｇのみを用いてダイヤル状態の表示するようにしてあるので、ゼグｄの点灯状況を見るだけでオンフックかオフフックかが分かる。
【００２５】
以上説明したように、また、遠隔見守りシステムの宅内装置の状態表示装置として、従来のセキュリティ、防犯防止対策用のカメラ付監視装置等では、その目的上、侵入者に監視装置を気付かれないように、表示装置そのものを装着できなかったが、本状態表示装置は、必要な状態表示を７セグエレメントＬＥＤ１桁と１ｄｏｔを用いて、小型でコンパクトに構成することができるので、侵入者に気付かれ難く装着することができる。同時に、７セグエレメントと１ｄｏｔ  とのＯＮ／ＯＦＦ組合わせ表示、時間的交互表示、点滅表示と、例えばエラー表示で「Ｅ」とそれに続く数字を交互に表示してエラーの内容を表すように、様々なそれらの組合わせ方法により、宅内装置の動作状態表示に必要な全ての表示ができるように構成できる。従って、従来は複雑高価なパソコンを用いたインターネットブラウザでしか見られなかった状態表示が、常に見られるので、防犯以外に家庭内の様子を見守る宅内装置の場合、装置立ち上げ時の設定作業が表示情報を基にやり易く、特にトラブル時では、表示装置からの状態表示情報により、ユーザが迅速な対応処置を取れ、一方、通常の動作時も装置そのものの動作状態が常に分かるので、ユーザにとって便利であり、安心である。このように、本発明によれば、表示装置に必要な状態表示を７セグエレメント１桁の表示で全て表現でき、小型でスペースの取らない、省電力で低コストの表示装置の実現が可能になる。
【００２６】
なお、本発明は、上記実施形態の構成に限られず、種々の変形が可能である。例えば、上記実施形態において、７セグエレメント表示素子として液晶表示デバイス等ＬＥＤ以外の表示デバイスの利用、点滅時間長可変など任意にできる。また、上記実施形態では宅内装置がダイヤルアップ接続の例を示したが、これに限らずブロードバンドにより常時接続の形態であってもよい。  
【図面の簡単な説明】
【００２７】
【図１】本発明の一実施形態に係る遠隔見守りシステムの概略構成を示すシステム構成図。
【図２】同遠隔見守りシステムの概略動作を説明する図。
【図３】同遠隔見守りシステムの宅内装置とこれに接続されるサーバ装置及び携帯端末の概略構成を示す全体ブロック構成図。
【図４】同遠隔見守りシステムの宅内装置の概略構成を示す斜視図。
【図５】同遠隔見守りシステムの宅内装置における動作状態表示装置の７セグエレメントによる動作状態表示パターン図
【符号の説明】
【００２８】
１    遠隔監視システム
２    宅内装置
３    携帯端末
４    サーバ装置
１１    カメラ
１３    動作状態表示装置
１３ａ  ７セグエレメントＬＥＤ（１桁）表示部
１３ｂ  １ｄｏｔ表示部
１７    設定スイッチ
２４    設定メモリ
２６    制御部
【図１】
2005318443.tif 000003
【図２】
2005318443.tif 000004
【図３】
2005318443.tif 000005
【図４】
2005318443.tif 000006
【図５】
2005318443.tif 000007